(57)【要約】【課題】電線をタブに固定する作業の効率を向上させる。【解決手段】複数の蓄電素子１１を備えた蓄電素子群１２に取り付けられる配線モジュール１０であって、蓄電素子１１の状態を検知するバスバー１６と、バスバー１６に接続された電線２３と、電線２３が配索された配索部７０を備えた絶縁プロテクタ１５と、配索部７０の載置壁７１から突出されたタブ７３と、を備え、タブ７３の側縁には、タブ７３の突出端部寄りの位置に、電線２３を結束するテープ７５が係止される凹部７４が形成され、タブ７３のうち電線２３が載置された載置面７６は、弧状に凹んだ形状をなしている。【選択図】図４
2017097980.tif 000002
【特許請求の範囲】
【請求項１】
複数の蓄電素子を備えた蓄電素子群に取り付けられる配線モジュールであって、
前記蓄電素子の状態を検知する検知端子と、
前記検知端子に接続された電線と、
前記電線が配索された配索部を備えた絶縁プロテクタと、
前記配索部の底壁から突出されたタブと、を備え、
前記タブの側縁には、前記タブの突出端部寄りの位置に、前記電線を結束する結束部材が係止される凹部が形成され、
前記タブのうち前記電線が載置された載置面は、弧状に凹んだ形状をなしている、配線モジュール。
【請求項２】
前記タブは、前記タブが突出する方向と交差する方向であって、且つ、前記載置面側に折れ曲がっている、請求項１に記載の配線モジュール。
【請求項３】
前記電線は前記結束部材によって前記タブに固定されている請求項１または請求項２に記載の配線モジュール。
【発明の詳細な説明】
【技術分野】
【０００１】
本明細書に記載された技術は、配線モジュールに関する。
【背景技術】
【０００２】
従来、配線モジュールとして、特開２０１２−１６４５９１号公報に記載のものが知られている。この配線モジュールは、複数の電池を直列接続するバスバーと、バスバーに接続される電圧検出端子に接続される電線と、バスバー及び電線を収容する絶縁プレートと、を有する。
【０００３】
絶縁プレートには、電線が配索される配索路が形成されている。配索路には、絶縁プレートから導出される電線が巻き付けられる舌片が突出されている。舌片は板状をなしている。この舌片に、電線が、テープによって巻き付けられるようになっている。
【先行技術文献】
【特許文献】
【０００４】
【特許文献１】特開２０１２−１６４５９１号公報
【発明の概要】
【発明が解決しようとする課題】
【０００５】
しかしながら上記の構成によると、舌片のうち電線が載置される面は平面で構成されているため、電線を舌片に取り付ける作業をする際に、電線が舌片から外れやすいという問題がある。
【０００６】
本明細書に記載された技術は上記のような事情に基づいて完成されたものであって、電線をタブに固定する作業の効率を向上させる技術を提供することを目的とする。
【課題を解決するための手段】
【０００７】
本明細書に記載された技術は、複数の蓄電素子を備えた蓄電素子群に取り付けられる配線モジュールであって、前記蓄電素子の状態を検知する検知端子と、前記検知端子に接続された電線と、前記電線が配索された配索部を備えた絶縁プロテクタと、前記配索部の底壁から突出されたタブと、を備え、前記タブの側縁には、前記タブの突出端部寄りの位置に、前記電線を結束する結束部材が係止される凹部が形成され、前記タブのうち前記電線が載置された載置面は、弧状に凹んだ形状をなしている。
【０００８】
上記の構成により、タブの載置面は、弧状に凹んだ形状をなしているので、タブの載置面に電線を載置する際に、電線がタブから外れることが抑制される。これにより、電線をタブに固定する際の作業性が向上する。
【０００９】
本明細書に開示された技術の実施態様としては以下の態様が好ましい。
【００１０】
前記タブは、前記タブが突出する方向と交差する方向であって、且つ、前記載置面側に折れ曲がっていることが好ましい。
【００１１】
上記の構成によれば、載置面が形成されていない側にタブを折り曲げるよりも、容易にタブを折り曲げることができる。これにより、電線をタブに固定する際の作業性を一層向上させることができる。
【００１２】
前記電線は前記結束部材によって前記タブに固定されていることが好ましい。
【００１３】
上記の構成によれば、電線を結束部材によってタブに固定することができるので、電線の配索作業の効率を向上させることができる。
【発明の効果】
【００１４】
本明細書に記載された技術によれば、電線をタブに固定する作業の効率を向上させることができる。
【図面の簡単な説明】
【００１５】
【図１】実施形態１に係る配線モジュールを示す平面図
【図２】蓄電素子に取り付ける前の配線モジュールを示す平面図
【図３】タブを示す一部拡大平面図
【図４】タブを示す一部拡大側面図
【図５】タブに電線が固定された状態を示す一部拡大正面図
【図６】実施形態２に係る配線モジュールのタブを示す一部拡大側面図
【図７】実施形態２に係るタブに電線が固定された状態を示す一部拡大平面図
【発明を実施するための形態】
【００１６】
＜実施形態１＞
本明細書に記載された技術の実施形態１を、図１から図５を参照しつつ説明する。図１に示すように、本実施形態に係る配線モジュール１０は、複数の蓄電素子１１を並べてなる蓄電素子群１２に取り付けられて蓄電モジュール１３を構成する。蓄電モジュール１３は、電気自動車又はハイブリッド自動車等の車両（図示せず）に搭載されて、車両を駆動するための動力源として使用される。
【００１７】
以下の説明においては、Ｘ方向を右方とし、Ｙ方向を前方とし、Ｚ方向を上方として説明する。また、以下の説明において、複数の同一部材については、一の部材に符号を付し、他の部材については符号を省略することがある。
【００１８】
（蓄電素子１１）
本実施形態に係る蓄電素子１１は二次電池である。蓄電素子１１の内部には図示しない蓄電要素が収容されている。蓄電素子１１は略直方体形状をなしている。蓄電素子１１の上面には前後方向の両端部寄りの位置に、一対の電極端子１４が形成されている。電極端子１４の一方は正極端子１４Ａであり、他方は負極端子１４Ｂである。蓄電素子１１は、隣り合う電極端子１４が異なる極性となるように配置されている。複数の蓄電素子１１は左右方向に並べられて蓄電素子群１２を構成している。
【００１９】
（配線モジュール１０）
蓄電素子群１２の上面には配線モジュール１０が取り付けられている。配線モジュール１０は、左右方向に細長い形状をなしている。
【００２０】
図１に示すように、配線モジュール１０は、絶縁プロテクタ１５と、絶縁プロテクタ１５に収容された複数のバスバー１６（検知端子の一例）と、バスバー１６に接続された複数の電線２３と、を備える。
【００２１】
（絶縁プロテクタ１５）
絶縁プロテクタ１５は、絶縁性の合成樹脂からなる。絶縁プロテクタ１５には、複数のバスバー１６をそれぞれ収容する複数の収容部２４が形成されている。
【００２２】
図１に示すように、収容部２４は上方から見て左右方向に細長い概ね長方形状をなしており、バスバー１６よりもやや大きな形状とされている。複数の収容部２４は、左右方向に間隔を空けて並んで配されている。
【００２３】
それぞれの収容部２４にはバスバー１６の周囲を囲う周壁２９が形成されている。周壁２９の上端は上方に開口する開口部２８が形成されており、この開口部２８内にバスバー１６が収容されるようになっている。
【００２４】
収容部２４の周壁２９のうち、１対の長辺の一方に、前後方向に延びるスリット２５が形成されている。
【００２５】
（バスバー１６）
バスバー１６は、金属板材を所定形状にプレス加工してなる。金属板材としては、銅、銅合金、鉄、鉄合金、アルミニウム、アルミニウム合金等、必要に応じて任意の金属を適宜に選択できる。バスバー１６は上方から見て左右方向に細長く延びた略長方形状をなしている。バスバー１６には、電極端子１４が挿通される貫通孔１９がバスバー１６を貫通して形成されている。貫通孔１９内に電極端子１４が貫通された状態で、電極端子１４に図示しないナットが螺合されることにより、電極端子１４とバスバー１６とが電気的に接続される。
【００２６】
本実施形態においては、バスバー１６は、隣り合う電極端子１４を電気的に接続すると共に、電極端子１４に電気的に接続されることにより、蓄電素子１１の電圧を検知する検知端子としても機能するようになっている。
【００２７】
バスバー１６の長辺のうち、一方の長辺には、電線２３の芯線４２に圧着されたワイヤーバレル４０と、芯線４２の外周に被覆された絶縁被覆４３に圧着されたインシュレーションバレル４１と、が設けられている。
【００２８】
電線２３の他方の端部は、例えばＥＣＵ（Electric Control Unit）のような外部接続機器（図示せず）に接続されている。なお、ＥＣＵは、マイクロコンピュータ、素子等が搭載されたものであって、蓄電素子１１の電圧・電流・温度等の検知、各蓄電素子１１の充放電コントロール等を行うための機能を備えた周知の構成のものである。
【００２９】
ワイヤーバレル４０と、インシュレーションバレル４１とは、収容部２４のスリット２５内に収容されている。これにより、ワイヤーバレル４０と、インシュレーションバレル４１は、収容部２４の外部に導出されている。
【００３０】
（配索部７０）
図１に示すように、絶縁プロテクタ１５には、複数の電線２３が配索される配索部７０が形成されている。配索部７０は、絶縁プロテクタ１５の延びる方向（左右方向）に沿って細長く延びて形成されている。
【００３１】
配索部７０は、複数の電線２３が載置される載置壁７１（底壁の一例）と、載置壁７１の側縁から上方に立ち上がって形成されて、電線２３を配索部７０内に保持する側方保持部７２と、を備える。
【００３２】
（タブ７３）
図２及び図３に示すように、載置壁７１の右端部には、右方に突出する板状のタブ７３が形成されている。タブ７３は上方から見て、左右方向に細長く延びた略長方形状をなしている。タブ７３の先端部寄り（右端部寄り）の両側縁には、タブ７３の幅方向の内側に凹んだ１対の凹部７４が形成されている。この凹部７４には、後述するテープ７５（結束部材の一例）が巻回されるようになっている。
【００３３】
タブ７３の上面は、電線２３が載置される載置面７６とされる。図４に示すように、タブ７３の載置面７６は、電線２３が延びる方向（左右方向）から見て、弧状に凹んだ形状をなしている。詳細には、タブ７３の載置面７６は、前端部と後端部の上下方向の高さ位置が高く、前後方向の中央付近において、上下方向の高さ位置が低く設定されている。
【００３４】
タブ７３の下面７７（載置面７６の反対側の面の一例）は、図４に示すように、電線２３が延びる方向（左右方向）から見て、弧状に膨出した形状をなしている。詳細には、タブ７３の下面７７は、前端部と後端部の上下方向の高さ位置が高く、前後方向の中央付近において、上下方向の高さ位置が低く設定されている。
【００３５】
図１及び図５に示すように、蓄電素子群１２に配線モジュール１０が取り付けられた状態において、タブ７３は上方に略直角に折れ曲がっている。換言すると、タブ７３は、タブ７３が突出する方向と交差する方向で、且つ、載置面７６側に折れ曲がっている。これにより、タブ７３の載置面７６は、タブ７３の折り曲げ方向について内側に位置し、タブ７３の下面７７は、タブ７３の折り曲げ方向について外側に位置するようになっている。
【００３６】
タブ７３の凹部７４には、テープ７５（結束部材の一例）が巻き付けられており、このテープ７５によって、複数の電線２３がタブ７３に固定（結束）されている。
【００３７】
（本実施形態の作用、効果）
続いて、本実施形態の作用、効果について説明する。本実施形態に係る配線モジュール１０は、複数の蓄電素子１１を備えた蓄電素子群１２に取り付けられる配線モジュール１０であって、蓄電素子１１の状態を検知するバスバー１６と、バスバー１６に接続された電線２３と、電線２３が配索された配索部７０を備えた絶縁プロテクタ１５と、配索部７０の載置壁７１から突出されたタブ７３と、を備え、タブ７３の側縁には、タブ７３の突出端部寄りの位置に、電線２３を結束するテープ７５が係止される凹部７４が形成され、タブ７３のうち電線２３が載置された載置面７６は、弧状に凹んだ形状をなしている。
【００３８】
上記の構成によれば、タブ７３の載置面７６は、弧状に凹んだ形状をなしているので、タブ７３の載置面７６に電線２３を載置する際に、電線２３がタブ７３から外れることが抑制される。これにより、電線２３をタブ７３に固定する際の作業性が向上する。
【００３９】
また、本実施形態によれば、タブ７３は、タブ７３が突出する方向と交差する方向であって、且つ、載置面７６側に折れ曲がっている。
【００４０】
上記の構成によれば、載置面７６が形成されていない側にタブ７３を折り曲げるよりも、容易にタブ７３を折り曲げることができる。これにより、電線２３をタブ７３に固定する際の作業性を一層向上させることができる。
【００４１】
また、本実施形態によれば、タブ７３の下面７７が、タブ７３が突出する方向から見て、弧状に膨出した形状をなしている。
【００４２】
タブ７３の下面７７が平坦な面を有している場合、タブ７３の下面７７には、タブ７３の突出方向に沿って延びる稜部が形成されることになる。この稜部は、タブ７３の突出方向からみて略直角なエッジを形成することになる。この場合、タブ７３にテープ７５を巻回すると、このエッジ部分においてテープ７５に対して力が集中することが懸念される。
【００４３】
これに対して本実施形態においては、タブ７３の下面７７が、電線２３が延びる方向から見て、弧状に膨出した形状をなしているので、タブ７３にテープ７５を巻回することにより電線２３をタブ７３に固定する場合に、テープ７５に加わる力を分散することができる。
【００４４】
また、本実施形態においては、電線２３はテープ７５によってタブ７３に固定されている。
【００４５】
上記の構成によれば、電線２３をテープ７５によってタブ７３に固定することができるので、電線２３の配索作業の効率を向上させることができる。
【００４６】
＜実施形態２＞
次に、本明細書に記載された技術の実施形態２を、図６から図７を参照しつつ説明する。
【００４７】
図６に示すように、本実施形態においては、タブ８３の下面８７は、左右方向（タブ８３の突出する方向）から見て平坦な形状をなしている。
【００４８】
上記以外の構成については、実施形態１と略同様なので、同一部材については同一符号を付し、重複する説明を省略する。
【００４９】
本実施形態においては、タブ８３の載置面８６は、電線２３が延びる方向から見て、弧状に凹んだ形状をなしているので、タブ８３の載置面８６に電線２３を載置する際に、電線２３がタブ８３から外れることが抑制される。これにより、電線２３をタブ８３に固定する際の作業性が向上する。
【００５０】
また、本実施形態によれば、タブ８３は、載置面８６が内側になるようにして折り曲げられているので、タブ８３を、載置面８６を外側にして折り曲げるよりも、容易に折り曲げることができる。これにより、電線２３をタブ８３に固定する際の作業性を一層向上させることができる。
【００５１】
＜他の実施形態＞
本明細書に記載された技術は上記記述及び図面によって説明した実施形態に限定されるものではなく、例えば次のような実施形態も本明細書に記載された技術の技術的範囲に含まれる。
【００５２】
（１）本実施形態では、検知端子は、蓄電素子１１の電圧を検知する構成としたが、これに限られず、蓄電素子１１の温度を検知する構成としてもよく、必要に応じて蓄電素子１１の任意の状態を検知する構成とすることができる。
【００５３】
（２）本実施形態においては、蓄電素子１１は二次電池としたが、これに限られず、キャパシタであってもよい。
【００５４】
（３）本実施形態においては、結束部材としてテープ７５を用いたが、これに限られず、結束バンドを用いてもよく、必要に応じて任意の結束部材を適宜に使用することができる。
【００５５】
（４）本実施形態においては、バスバー１６と検知端子とが一体に形成される構成としたが、これに限られず、隣り合う蓄電素子１１の電極端子１４を接続するバスバーと、検知端子とは、別体であってもよい。
【００５６】
（５）本実施形態においては、タブ７３の両側縁に１対の凹部７４が形成される構成としたが、これに限られず、タブ７３の一方の側縁に凹部７４が形成される構成としてもよい。
【符号の説明】
【００５７】
１０：配線モジュール
１１：蓄電素子
１２：蓄電素子群
１５：絶縁プロテクタ
１６：バスバー
２３：電線
７０：配索部
７３，８３：タブ
７４：凹部
７５：テープ
７６，８６：載置面
【図１】
2017097980.tif 000003
【図２】
2017097980.tif 000004
【図３】
2017097980.tif 000005
【図４】
2017097980.tif 000006
【図５】
2017097980.tif 000007
【図６】
2017097980.tif 000008
【図７】
2017097980.tif 000009